(57)【要約】【課題】組み付けられた布団が就寝中に離れることがなく、又、よじれることもなく、更には羽毛布団のようにこんもりしている布団にあっても就寝者に添う構造としたもので、取り付けと、取り付け後の連結と取り外しが容易な組み掛け布団を提供できた。【解決手段】第１の布団体と第２の布団体を備えた組掛け布団であって、前記第１の布団体と前記第２の布団体を平面視でをＡ及びＢ分割（いずれも３以上）し、それぞれの四隅分割面或いはその外縁の線上で互いに合致する位置に連結係止具を備え、更に、四周を分割面にて囲まれた中央分割面或いはその周縁の線上で少なくとも１個の互いに合致する位置に連結係止具を備えた。Ｐ１‥布団の四隅分割面、Ｐ２‥布団の中央分割面、ａ、ｂ‥係止具、ｐ、ｑ‥係止具ｂを備える箇所。【選択図】図１
0003124095.tif 000002
【実用新案登録請求の範囲】
【請求項１】
第１の布団体と第２の布団体を備えた組掛け布団であって、前記第１の布団体と前記第２の布団体を平面視でＡ及びＢ分割（いずれも３以上）し、それぞれの四隅分割面或いはその外縁の線上で互いに合致する位置に連結係止具を備え、更に、四周を分割面にて囲まれた中央分割面或いはその周縁の線上で少なくとも１個の互いに合致する位置に連結係止具を備えたことを特徴とする組み掛け布団。
【請求項２】
Ａ分割数が３〜４、Ｂ分割数が３〜４である請求項１記載の組み掛け布団。
【請求項３】
Ａ分割数が３、Ｂ分割数が３であり、中央分割面が１個である請求項１記載の組み掛け布団。
【請求項４】
Ａ分割数が３、Ｂ分割数が４であり、中央分割面が２個である請求項１記載の組み掛け布団。
【請求項５】
Ａ分割数が４、Ｂ分割数が４であり、中央分割面が４個である請求項１記載の組み掛け布団。
【請求項６】
係止具は紐、ボタン、ホック、磁石、マジックテ−プ（登録商標）、ファスナーである請求項１乃至５いずれか１記載の組み掛け布団。
【考案の詳細な説明】
【技術分野】
【０００１】
本考案は使い方に応じて多様な組み合わせを可能にした組み掛け布団に関するものである。
【背景技術】
【０００２】
従来より、掛け布団は、季節変動や好みにより種々のものが使われている。例えば掛け布団同士の２枚重ね、掛け布団と毛布やタオルケットの併用等いわゆる２枚組み或いはそれ以上の枚数の掛け具を重ねて使用することは、ごく一般的に行われている。
【０００３】
しかし、掛け布団等は使用者が２枚以上を重ねて使用すると、睡眠中の寝返り等の動きによって片方がずれ落ちたり、よじれを起こす結果、寝心地は悪くなり、更には身体が冷える等の不具合が生じる。このような不具合の防止のために、例えばそれぞれの布団体の四隅や四辺を係止具で互いに係止してずれやよじれを防止する考案が提案されている（特許文献１）。
【０００４】
【特許文献１】特開２００２−１７２０５１号公報
【０００５】
従来例のような組み掛け布団では、２枚或いは３枚の掛け具の四隅や四辺にそれぞれ紐やボタンあるいはファスナーを取り付け、互いに連結することで上記の課題を克服しているが、四隅だけを係止する場合には依然としてよじれの問題が解消されず、一方、布団体が羽毛布団のようにこんもりしていると、四辺にファスナーを取り付けても中だけが膨らんでしまい使用者の寝心地を一層悪くするため連結の効果が薄れる。その上ファスナーを縫い付ける作業は手間がかかり、また、高齢者などにとっては備えられたファスナーを使って上下の布団を連結する作業そのものも決して容易なものではない。
【考案の開示】
【考案が解決しようとする課題】
【０００６】
本考案は以上のような従来の課題を解決するためになされたものであり、簡単な作業で解決を可能としたものである。
【課題を解決するための手段】
【０００７】
上述の課題を克服するために、本考案は以下の構成を採用したものである。即ち、第１の布団体と第２の布団体を備えた組掛け布団であって、前記第１の布団体と前記第２の布団体を平面視でＡ及びＢ分割（いずれも３以上）し、それぞれの四隅分割面或いはその外縁の線上で互いに合致する位置に連結係止具を備え、更に、四周を分割面にて囲まれた中央分割面或いはその周縁の線上で少なくとも１個の互いに合致する位置に連結係止具を備えたことを特徴とする組み掛け布団にかかるものである。
【考案の効果】
【０００８】
本考案は、布団の周辺と中心付近に比較的少数の係止具を配置することによって、取り付けと、取り付け後の連結と取り外しが容易な組み掛け布団を提供できたものであり、組み付けられた布団が就寝中に離れることがなく、又、よじれることもなく、更には羽毛布団のようにこんもりしている布団にあっても就寝者に添う構造となったものである。
【考案を実施するための最良の形態】
【０００９】
本考案の布団体には羽毛布団等が使われ、布団体には同じ羽毛布団等の他に毛布、タオルケット等も含まれる。そして、通常は、布団の平面視でＡ分割数が３〜４で、Ｂ分割数が３〜４である。即ち、Ａ＝Ｂ＝３の場合は中央分割面が１個、Ａ＝３、Ｂ＝４の場合は中央分割面が２個、Ａ＝Ｂ＝４の場合は中央分割面が４個となる。尚、中央分割面の周縁の線上の連結係止具を備える際には１個の係止具にて複数の分割面の係止具として兼用することも可能である。
【００１０】
組み掛け布団にあっては、係止具の連結や取り外しが容易であり、しかし睡眠中は外れにくいことが望まれる。そのため、係止具は四隅分割面においては数や長さはなるべく限定したいし、又、中央分割面においても、布団の対称な位置にこれも数を限定して取り付ければ、係止具を取り付ける際のわずらわしさを伴うことなく、ずれやよじれが防止される。
【００１１】
係止具には紐、ボタン、ホック、磁石、マジックテ−プ（登録商標）、ファスナー等寝具に使用可能な係止具であればいずれを用いても良い。また、係止具は布団体ごとに１種類に限定することなく、使い易さに応じて異なる種類のものを使っても良い。係止具を布団のカバー地に縫い込む際には、その位置を丈夫な布等で補強すれば係止具の寿命が増す効果が生まれることは言うまでもない。
【実施例】
【００１２】
以下、図面をもって更に説明する。図１は組み掛け布団の一方側の平面であり、Ａ、Ｂ方向に４等分した際の図である。図中Ｐ１は四隅分割面を示すものであり、Ｐ２は中央分割面を示す。又、ａ、ｂは係止具を示すものであり、四隅分割面Ｐ１にはその隅部にａを備え、中央分割面にはこれ又隅部にｂを備えたものである。図示はしないが、他方側の組み掛け布団も同様に平面視で分割し、対応する位置にａ及びｂと連結可能な係止具を備えるもので、就寝時にはこれらを連結して使用することとなる。
【００１３】
尚、ａ、ｂは隅部に備えられた例を図示したが、前記したようにこれに限られるものではなく、その周縁部に添って備えられてもよいことは勿論である。
【００１４】
図２はＡ＝４、Ｂ＝３の分割面を示すものであり、中央分割面Ｐ２の中央に係止具ｂを備えた例である。
【００１５】
図３はＡ＝Ｂ＝３の分割面を示すものであり、中央分割面Ｐ２の中央に係止具ｂを備えた例である。
【００１６】
尚、各図にあって、係止具ｂはｐ点やｑ点に備えられる場合もあり、又、図示はしないが線状に備えられる場合もある。
【産業上の利用可能性】
【００１７】
本考案は、布団の周辺と中心付近に最少数の係止具を配置することによって、取り付けと、取り付け後の連結と取り外しが容易な組み掛け布団を提供できたものであって、主として掛け布団に用いられるが、これに限ることではなく、敷布団にも利用できることは言うまでもない。
【図面の簡単な説明】
【００１８】
【図１】本考案の布団体の第１例を示す平面図である。
【図２】本考案の布団体の第２例を示す平面図である。
【図３】本考案の布団体の第３例を示す平面図である。
【符号の説明】
【００１９】
Ｐ１‥布団の四隅分割面、
Ｐ２‥布団の中央分割面、
ａ、ｂ‥係止具、
ｐ、ｑ‥係止具ｂを備える箇所。
【図１】
0003124095.tif 000003
【図２】
0003124095.tif 000004
【図３】
0003124095.tif 000005